(57)【要約】【課題】装置のコンパクト化が可能であり、蓋開閉動作の同期がとれて商品性が高い表示装置を提供する。【解決手段】本発明に関わる表示装置１は、情報を表示する表示部６と、表示部６を格納し、格納された表示部６が通過する開口部２ａ１を有する格納部材ｋと、開口部２ａ１を覆う複数の蓋部材４、５であって、開口部２ａ１から格納部材ｋの開口部２ａ１に隣接した領域に移動し、当該領域で重ねられる複数の蓋部材４、５と、複数の蓋部材４、５を、開口部２ａ１を覆う第１の状態と重ねられる第２の状態とに移動させる移動制御手段７、１２、８、９とを備えている。【選択図】図３
2014226961.tif 000002
【特許請求の範囲】
【請求項１】
情報を表示する表示部と、
前記表示部を格納し、格納された前記表示部が通過する開口部を有する格納部材と、
前記開口部を覆う複数の蓋部材であって、前記開口部から前記格納部材の前記開口部に隣接した領域に移動し、当該領域で重ねられる前記複数の蓋部材と、
前記複数の蓋部材を、前記開口部を覆う第１の状態と前記重ねられる第２の状態とに移動させる移動制御手段とを
備えることを特徴とする表示装置。
【請求項２】
前記移動制御手段は、前記複数の蓋部材を異なる速度で移動させる
ことを特徴とする請求項１に記載の表示装置。
【請求項３】
前記移動制御手段は、
前記複数の蓋部材を、前記第２の状態から前記第１の状態に同じタイミンングで移動させるとともに、前記第１の状態から前記第２の状態に同じタイミンングで移動させる
ことを特徴とする請求項１または請求項２に記載の表示装置。
【請求項４】
前記複数の蓋部材が前記第２の状態の場合、前記複数の蓋部材のうち移動距離の長い蓋部材が、より移動距離の短い蓋部材の下方に重ねられる
ことを特徴とする請求項１から請求項３のうちの何れか一項に記載の表示装置。
【請求項５】
前記表示部が起立した際に、倒れる方向に付勢する付勢手段を備える
ことを特徴とする請求項１から請求項４のうちの何れか一項に記載の表示装置。
【請求項６】
回転して前記開口部の一部を開閉する回転蓋部材をさらに備える
ことを特徴とする請求項１から請求項５のうちの何れか一項に記載の表示装置。
【請求項７】
前記回転蓋部材を前記蓋部材の何れかを開閉させる移動手段によって回転させることで、前記開口部の一部を閉じる回転開閉手段を備える
ことを特徴とする請求項６に記載の表示装置。
【請求項８】
前記複数の蓋部材の各々は、前記開口部の面積よりも小さい面積の表面を有し、前記複数の蓋部材の表面の面積の合計は、前記開口部の面積以上であることを特徴とする請求項１から請求項７のうち何れか一項に記載の表示装置。
【請求項９】
前記移動制御手段を介して前記複数の蓋部材を駆動する第1の駆動源と、
前記第1の駆動源とは独立した第２の駆動源であって、前記表示部を駆動する前記第２の駆動源とをさらに備えることを特徴とする請求項１から請求項８のうち何れか一項に記載の表示装置。
【請求項１０】
使用時に開扉動作によって開口部を開けて重置した状態で格納され、未使用時には前記開口部を閉じる分割された複数のドアと、
使用時には、開いた前記開口部から起立して情報を表示し、未使用時には倒れて格納されるコンバイナと、
前記複数のドアを各々別速度で開閉扉動作を行う開閉駆動機構とを
備えることを特徴とした表示装置。
【請求項１１】
前記複数のドアは第1のドアと第２のドアであり、
前記第１のドアおよび前記第２のドアよりも端部に配置され前記開口部の一部を回転動作により開閉する第３のドアをさらに備える
ことを特徴とする請求項１０に記載の表示装置。
【請求項１２】
前記第３のドアを回転自在に支持し、凸状の駆動突起を有する支持部と、
前記第３のドアを開放する方向に付勢する弾性体と、
前記第１のドアおよび前記第２のドアを閉塞する際に前記支持部の駆動突起を移動させることにより、前記第３のドアで前記開口部の一部を閉塞させる閉塞動作部とを
備えることを特徴とする請求項１１に記載の表示装置。 
【発明の詳細な説明】
【技術分野】
【０００１】
本発明は、ヘッドアップディスプレイ／ポップアップディスプレイの蓋の開閉に係る表示装置に関する。
【背景技術】
【０００２】
従来、車両におけるダッシュボード内に設置され、運転に必要な情報等を開口部内から起立させるコンバイナ上に投影する表示装置がある。
ところで、コンバイナを倒したコンバイナの格納時は表示装置内部への異物侵入や防塵のためにコンバイナ起立動作に必要な開口部を覆うためのドアが必要となる。
【先行技術文献】
【特許文献】
【０００３】
【特許文献１】特開２００２−３３１８５５号公報(図１、図２等)
【発明の概要】
【発明が解決しようとする課題】
【０００４】
しかしながら、開口部を一枚のドアで覆っていたため、コンバイナを起立させた時のドアを格納するスペースが大きくなり、装置の奥行き寸法が長くなるという問題がある。
具体的には、開口部を一つのドアで覆う場合、ドアをスライドして後退させると移動距離が長くなり駆動機構(ラック長さ)が長くなる。同時に、ドアを格納する長さも長くなり、装置全体の奥行きが大きくなってしまい、車載に適さない大きさとなる。例えば、他の計器を置く空間に、表示装置がはみ出ることも起こる。
【０００５】
そこで、特許文献１には、車両用表示装置において、開口部を覆う蓋（ドア）を分割して開閉させる方法が記載されている。
特許文献１の構成は、蓋の一端側がダッシュボードの上外方に持ち上げられ、蓋の他端側がガイド溝に沿って開口部を車両の後方に向けて移動し、これにより、閉状態にあった蓋が開口部側に重なるように折り畳まれて開状態となって、蓋により閉塞されていた開口部が完全に開放されるものである。
【０００６】
従来の特許文献１の技術においては、蓋の開口時に蓋が装置上方に突出する形になることから、蓋の開口時に蓋が配置される空間が装置上部に必要となる。
さらに、運転者の姿勢等によっては、開口した蓋が視界を遮るおそれがある。
【０００７】
本発明は上記実状に鑑み、装置のコンパクト化が可能であり、蓋開閉動作の同期がとれて商品性が高い表示装置の提供を課題とする。
【課題を解決するための手段】
【０００８】
上記課題を達成すべく、第１の本発明に関わる表示装置は、情報を表示する表示部と、前記表示部を格納し、格納された前記表示部が通過する開口部を有する格納部材と、前記開口部を覆う複数の蓋部材であって、前記開口部から前記格納部材の前記開口部に隣接した領域に移動し、当該領域で重ねられる前記複数の蓋部材と、前記複数の蓋部材を、前記開口部を覆う第１の状態と前記重ねられる第２の状態とに移動させる移動制御手段とを備えている。
【０００９】
第１の本発明に関わる表示装置によれば、複数の蓋部材を開口部に隣接した領域で重ねることにより、奥行き寸法を縮小することができ、装置の小型化が図れる。また、蓋部材を複数としたことで負荷が分散し、スムーズな動作が可能となる。
【００１０】
第２の本発明に関わる表示装置は、第１の本発明の表示装置において、前記移動制御手段は、前記複数の蓋部材を異なる速度で移動させている。
【００１１】
第２の本発明に関わる表示装置によれば、分割した蓋部材をそれぞれ異なる速度で移動させるため、開扉動作時に異なる位置にある各蓋部材を同じタイミングで格納場所に移動させることが可能となる。また、格納時に異なる位置にある各蓋部材を同じタイミングで閉塞場所に移動させることが可能となる。
【００１２】
第３の本発明に関わる表示装置は、第１または第２の本発明の表示装置において、前記移動制御手段は、前記複数の蓋部材を、前記第２の状態から前記第１の状態に同じタイミンングで移動させるとともに、前記第１の状態から前記第２の状態に同じタイミンングで移動させている。
【００１３】
第３の本発明に関わる表示装置によれば、複数の蓋部材を、第２の状態から第１の状態に同じタイミンングで移動させるとともに、第１の状態から第２の状態に同じタイミンングで移動させるので、動作時の見栄え向上につながる。そのため、商品価値が向上する。
【００１４】
第４の本発明に関わる表示装置は、第１から第３のうちの何れかの本発明の表示装置において、前記複数の蓋部材が前記第２の状態の場合、前記複数の蓋部材のうち移動距離の長い蓋部材が、より移動距離の短い蓋部材の下方に重ねられている。
【００１５】
第４の本発明に関わる表示装置によれば、複数の蓋部材の機構部材の移動距離を短くでき、装置の小型化が可能である。また、複数の蓋部材の移動軌跡が交差しないので、機構が簡単にできる。
【００１６】
第５の本発明に関わる表示装置は、第１から第４のうちの何れかの本発明の表示装置において、前記表示部が起立した際に、倒れる方向に付勢する付勢手段を備えている。
【００１７】
第５の本発明に関わる表示装置によれば、表示部が起立した際に倒れる方向に付勢されるので、表示部が安定化し、外乱による振動を抑えることができる。
【００１８】
第６の本発明に関わる表示装置は、第１から第５のうちの何れかの本発明の表示装置において、回転して前記開口部の一部を開閉する回転蓋部材をさらに備えている。
【００１９】
第６の本発明に関わる表示装置によれば、蓋部材に加え、回転蓋部材をさらに備えるので、蓋部材の寸法を小さくでき、装置の更なる小型化が可能である。また、回転蓋部材は回転運動するので、動作信頼性が高い。
【００２０】
第７の本発明に関わる表示装置は、第６の本発明の表示装置において、前記回転蓋部材を、前記蓋部材の何れかを開閉させる移動手段によって回転させることで前記開口部の一部を閉じる回転開閉手段を備えている。
【００２１】
第７の本発明に関わる表示装置によれば、回転蓋部材を蓋部材の何れかを開閉させる移動手段によって回転させることで開口部の一部を閉じる回転開閉手段を備えるので、部品点数が少なく済み、低コスト化が可能である。
【００２２】
第８の本発明に関わる表示装置は、第１から第７のうちの何れかの本発明の表示装置において、前記複数の蓋部材の各々は、前記開口部の面積よりも小さい面積の表面を有し、前記複数の蓋部材の表面の面積の合計は、前記開口部の面積以上である。
【００２３】
第８の本発明に関わる表示装置によれば、複数の蓋部材の各々は、開口部の面積よりも小さい面積の表面を有するので、表示装置の寸法を小さくでき、表示装置の小型化が可能である。
【００２４】
第９の本発明に関わる表示装置は、第１から第８のうちの何れかの本発明の表示装置において、前記移動制御手段を介して前記複数の蓋部材を駆動する第１の駆動源と、前記第１の駆動源とは独立した第２の駆動源であって、前記表示部を駆動する前記第２の駆動源とをさらに備えている。
【００２５】
第９の本発明に関わる表示装置によれば、移動制御手段を介して複数の蓋部材を駆動する第１の駆動源と、第１の駆動源とは独立した第２の駆動源であって、表示部を駆動する第２の駆動源とをさらに備えるので、複数の蓋部材と表示部とを独立して駆動できる。そのため、駆動機構が簡単である。
【００２６】
第１０の本発明に関わる表示装置は、使用時に開扉動作によって開口部を開けて重置した状態で格納され、未使用時には前記開口部を閉じる分割された複数のドアと、使用時には、開いた前記開口部から起立して情報を表示し、未使用時には倒れて格納されるコンバイナと、前記複数のドアを各々別速度で開閉扉動作を行う開閉駆動機構とを備えている。
【００２７】
第１０の本発明に関わる表示装置によれば、ドアを分割して重ねて格納することにより、特に奥行き寸法を縮小することができ、装置の小型化が図れる。また、ドアを分割したことで負荷が分散し、スムーズな動作が可能となる。
さらに、分割したドアをそれぞれ異なる速度で移動させるため、開扉動作時に異なる位置にある各ドアを同時に格納場所に移動させることが可能となる。また、格納時に異なる位置にある各ドアを同時に閉塞場所に移動させることが可能となる。
【００２８】
第１１の本発明に関わる表示装置は、第１０の本発明の表示装置において、前記複数のドアは第１のドアと第２のドアであり、前記第１のドアおよび前記第２のドアよりも端部に配置され前記開口部の一部を回転動作により開閉する第３のドアをさらに備えている。
【００２９】
第１１の本発明に関わる表示装置によれば、第１のドアおよび第２のドアに加え、第３のドアをさらに備えるので、第１のドアおよび第２のドアの寸法を小さくでき、装置の更なる小型化が可能である。また、第３のドアは回転運動するので、動作信頼性が高い。
【００３０】
第１２の本発明に関わる表示装置は、第１１の本発明の表示装置において、前記第３のドアを回転自在に支持し凸状の駆動突起を有する支持部と、前記第３のドアを開放する方向に付勢する弾性体と、前記第１のドアおよび前記第２のドアを閉塞する際に前記支持部の駆動突起を移動させることにより、前記第３のドアで前記開口部の一部を閉塞させる閉塞動作部とを備えている。
【００３１】
第１２の本発明に関わる表示装置によれば、第１のドアおよび第２のドアを閉塞する際に支持部の駆動突起を移動させることにより、第３のドアで開口部の一部を閉塞させる閉塞動作部を備えるので、部品点数が少なく済み、低コスト化が可能である。
【発明の効果】
【００３２】
本発明によれば、装置のコンパクト化が可能であり、蓋開閉動作の同期がとれて商品性が高い表示装置を提供できる。
【図面の簡単な説明】
【００３３】
【図１】本発明に係る実施形態の表示装置の未使用状態の蓋が閉まった状態を斜め上前方から見た斜視図。
【図２】表示装置の蓋が開放され、コンバイナを倒した未使用状態の表示装置を斜め上前方から見た斜視図。
【図３】表示装置の使用状態を示す上側方から表示装置を見た斜視図。
【図４】(ａ)は第１のドアを斜め前上方から見た斜視図、(ｂ)は(ａ)のＡ方向矢視図であり、(ｃ)は(ａ)のＢ方向矢視図。
【図５】(ａ)は第２のドアを斜め前上方から見た斜視図、(ｂ)は(ａ)のＣ方向矢視図、(ｃ)は(ａ)のＤ方向矢視図。
【図６】第１のドア、第２のドアを格納開放してコンバイナが起立した表示装置を斜め上後方から見た斜視図。
【図７】第１のドア、第２のドアを格納した表示装置の内部を斜め上前方から見た拡大図。
【図８】図３の表示装置を上方から見た表示装置の内部構成を示す平面図。
【図９】図３の表示装置を斜め上後方から見た表示装置の内部構成を示す斜視図。
【図１０】(ａ)は第２のカムを内側から見た図、(ｂ)は第２のカムを下方から見た図、(ｃ)は第２のカムを外側から見た図、(ｄ)は第２のカムの外側を下後方から見た斜視図。
【図１１】(ａ)は第１のカムを内側から見た図、(ｂ)は第１のカムを外側から見た図、(ｃ)は(ｂ)のＥ−Ｅ断面図、(ｄ)は第１のカムの外側を下後方から見た斜視図。
【図１２】(ａ)はドアレールを内側斜め前上方から見た斜視図であり、(ｂ)はドアレールを内側から見た(ａ)のＦ方向矢視図、(ｃ)はドアレールを外側から見た図。
【図１３】(ａ)は開口部が第１のドアと第２のドアとで閉塞された場合のラックの位置を示すラック近傍を上方から見た平面図、(ｂ)は(ａ)のＧ−Ｇ断面拡大図。
【図１４】開口部が第１のドアと第２のドアとで開放または閉塞する途中の状態のラック近傍を上方から見た平面図。
【図１５】(ａ)は開口部が第１のドアと第２のドアとで開放または閉塞する途中の状態のラック近傍を斜め前上方から見た斜視図、(ｂ)は開口部が第１のドアと第２のドアとで開放または閉塞する途中の状態のラック近傍を斜め後上方から見た斜視図。
【図１６】(ａ)は開口部が第１のドアと第２のドアにより開放された場合のラックの位置を示すラック近傍を上方から見た平面図、(ｂ)は(ａ)のＨ−Ｈ断面拡大図。
【図１７】コンバイナを倒した未使用状態を斜め上前方から見た表示装置の内部構成を示す斜視図。
【図１８】コンバイナの支持部を斜め前上方から見た斜視図。
【図１９】(ａ)はコンバイナの支持構造を前斜め上方から見た斜視図、(ｂ)は(ａ)のＩ部拡大図、(ｃ)はコンバイナを倒した場合の右側のねじりコイルばねを示す斜視図、(ｄ)はコンバイナが起立した場合の右側のねじりコイルばねを示す斜視図、(ｅ)は(ａ)のＪ部拡大図、(ｆ)はコンバイナを倒した場合の左側のねじりコイルばねを示す斜視図、(ｇ)はコンバイナが起立した場合の左側のねじりコイルばねを示す斜視図。
【図２０】コンバイナが倒れる方向へのトルクの大きさをコンバイナの回転角度に対して表した図。
【図２１】(ａ)は第１のドアと第２のドアの閉塞状態から開放状態に至る第１のカム、第２のカムとピニオンの動作を示す概念的側面図、(ｂ)は(ａ)の状態の第１のドアと第２のドアの位置を示す概念的側面図。
【図２２】(ａ)は第１のドアと第２のドアの閉塞状態から開放状態に至る第１のカム、第２のカムとピニオンの動作を示す概念的側面図、(ｂ)は(ａ)の状態の第１のドアと第２のドアの位置を示す概念的側面図。
【図２３】(ａ)は第１のドアと第２のドアの閉塞状態から開放状態に至る第１のカム、第２のカムとピニオンの動作を示す概念的側面図、(ｂ)は(ａ)の状態の第１のドアと第２のドアの位置を示す概念的側面図。
【図２４】(ａ)は第１のドアと第２のドアの閉塞状態から開放状態に至る第１のカム、第２のカムとピニオンの動作を示す概念的側面図、(ｂ)は(ａ)の状態の第１のドアと第２のドアの位置を示す概念的側面図。
【図２５】(ａ)は第１のドアと第２のドアの閉塞状態から開放状態に至る第１のカム、第２のカムとピニオンの動作を示す概念的側面図、(ｂ)は(ａ)の状態の第１のドアと第２のドアの位置を示す概念的側面図。
【図２６】変形例１の未使用状態の表示装置を斜め上前方から見た斜視図。
【図２７】変形例１の表示装置でコンバイナを起立させた使用状態を斜め上前方から見た斜視図。
【図２８】(ａ)は変形例１の表示装置において、開口部が開けられた状態を示す内部の側面図、(ｂ)は開口部が開けられた状態を示す表示装置の内部を斜め前下方から見た斜視図。
【図２９】(ａ)は変形例１の表示装置において、開口部を閉塞する過程を示す内部の側面図、(ｂ)は開口部を閉塞する過程を示す表示装置の内部を斜め前下方から見た斜視図。
【図３０】(ａ)は変形例１の表示装置において、開口部を閉塞した状態を示す内部の側面図、(ｂ)は、開口部閉塞した状態を示す表示装置の内部を斜め前下方から見た斜視図。
【図３１】変形例２の表示装置において、開口部を第１のドアと第２のドアとで閉塞した状態を側方から見た模式図。
【図３２】変形例２の表示装置において、開口部を開放し、第１のドアと第２のドアとを上ケース内に格納した状態を側方から見た模式図。
【図３３】(ａ)は、第１のドアと第２のドアによる開口部２ａ１の閉塞時の第１のカムと第２のカムの移動速度の関係を示す模式図、(ｂ)は第１のドアと第２のドアとの開放時の第１のカムと第２のカムの移動速度の関係を示す模式図。
【図３４】実施形態の表示装置において、開口部を第１のドアと第２のドアとで閉塞した状態を側方から見た模式図。
【図３５】実施形態の表示装置において、開口部を開放し、第１のドアと第２のドアとを上ケース内に格納した状態を側方から見た模式図。
【発明を実施するための形態】
【００３４】
以下、本発明の実施形態について添付図面を参照して説明する。
図１は、本発明に係る実施形態の表示装置の未使用状態の蓋が閉まった状態を斜め上前方から見た斜視図である。図２は、表示装置の蓋が開放され、コンバイナを倒した未使用状態の表示装置を斜め上前方から見た斜視図である。図３は、表示装置の使用状態を示す上側方から表示装置を見た斜視図である。
【００３５】
実施形態の表示装置１は、例えば、車両のダッシュボード内に設置され、運転に必要な情報等をコンバイナ(表示部)６上に投影する表示装置として用いられる(図３参照)。
コンバイナ６は、何層かの反射膜を有するポリカーボネイトなどの樹脂部材であり、コンバイナ６上に上面板２ａの下方に配置された光源から像を写し、ユーザが虚像を目視する。
【００３６】
表示装置１は、その外郭を構成する扁平な直方体形状の筐体(格納部材)ｋの上ケース(格納部材)２と下ケース(格納部材)３とにより覆われている。
上ケース２と下ケース３とは、上ケース２の挿通孔を挿通した十字穴付きなべ小ねじｎ１を、下ケース３に形成された雌ねじに挿入することによって、互いに固定されている。
下ケース３は、上ケース２に対向する上面が開口した扁平な直方体の形状を有している。
【００３７】
一方、上ケース２は、下ケース３に対向する下面が開口するとともに、コンバイナ６が起立し、倒れるために開口した矩形の開口部２ａ１が、上面板２ａに形成されている。上面板２ａの開口部２ａ１は、コンバイナ６が起立できるようにコンバイナ６の延在面の投影面積を少なくともを有している。
【００３８】
表示装置１の未使用時には、開口部２ａ１は、その奥行き寸法ｓ１より短い奥行き寸法ｓ２をもつ第１のドア(蓋部材、ドア、移動距離の長い蓋部材)４(図４参照)と、開口部２ａ１の奥行き寸法ｓ１より短い奥行き寸法ｓ３をもつ第２のドア(蓋部材、ドア、移動距離の短い蓋部材)５(図５参照)とで、閉塞されている。
【００３９】
表示装置１が使用状態に移行すると、図２に示すように、第１のドア４と第２のドア５がそれぞれ下方に移動した後に上面板２ａの下方に平行移動して格納される。この際、第１のドア４は第２のドア５より下方に移動する。その後、第２のドア５と、第２のドア５より下方の第１のドア４とは、それぞれ後方に移動し、上面板２ａの後部２ａ２の下方に格納される。
【００４０】
これにより、上面板２ａの開口部２ａ１に、倒した状態のコンバイナ６が現出する。そして、コンバイナ６は、図３の矢印α１のように、表示装置１の前部の軸周りに回動して起立し、図３に示す使用状態となる。
表示装置１では、モータを２個使用し、一方の第１モータ(移動制御手段、開閉駆動機構、モータ、第１の駆動源)７(図７参照)で、第１のドア４と第２のドア５の開閉動作を行い、他方の第２モータ１７(図８参照)でコンバイナ６の起動を行っている。
【００４１】
＜第１のドア４＞
図４(ａ)は、第１のドアを斜め前上方から見た斜視図であり、図４(ｂ)は、図４(ａ)のＡ方向矢視図であり、図４(ｃ)は、図４(ａ)のＢ方向矢視図である。
第１のドア４は、前方視で、横向きの扁平な略コの字状の形状を有しており、水平な天板４ａと、天板４ａの両側端からそれぞれ下方に延在する側板４ｂおよび側板４ｃとを有している。天板４ａは、開口部２ａ１の面積よりも小さい面積の表面を有し、第１のドア４の天板４ａと第２のドア５の天板５ａ(後記の図５(ａ)参照)の各表面の面積の合計は、開口部２ａ１の面積以上に設定されている。
【００４２】
図４(ａ)、(ｂ)に示すように、側板４ｂには、外側方に突出する第１の前ボス(第１の突起)４ｐ１と第１の後ボス(第１の突起)４ｐ２とが形成されている。
図４(ａ)、(ｃ)に示すように、側板４ｃには、外側方に突出する第１の前ボス(第１の突起)４ｐ１と第１の後ボス(第１の突起)４ｐ２とが形成されている。
【００４３】
＜第２のドア５＞
図５(ａ)は、第２のドアを斜め前上方から見た斜視図であり、図５(ｂ)は、図５(ａ)のＣ方向矢視図であり、図５(ｃ)は、図５(ａ)のＤ方向矢視図である。
第２のドア５は、前方視で、横向きの扁平な略コの字状の形状を有しており、水平な天板５ａと、天板５ａの両側端からそれぞれ下方に延在する側板５ｂおよび側板５ｃとを有している。天板５ａは、開口部２ａ１の面積よりも小さい面積の表面を有している。そして、前記したように、第１のドア４の天板４ａと第２のドア５の天板５ａの各表面の面積の合計は、開口部２ａ１の面積以上に設定されている。
【００４４】
図５(ａ)、(ｂ)に示すように、側板５ｂには、外側方に突出する第２の前ボス(第２の突起)５ｐ１と第２の後ボス(第２の突起)５ｐ２とが形成されている。
図５(ａ)、(ｃ)に示すように、側板５ｃには、外側方に突出する第２の前ボス(第２の突起)５ｐ１と第２の後ボス(第２の突起)５ｐ２とが形成されている。
【００４５】
＜第１モータ７およびその歯車列＞
図６は、第１のドア、第２のドアを格納してコンバイナが起立した表示装置を斜め上後方から見た矢視図である。図７は、第１のドア、第２のドアを格納した表示装置の内部を斜め上前方から見た拡大図である。図７に示すように、第１のドア４が第２のドア５の下に格納されている。
【００４６】
表示装置１の前部には、第１のドア４および第２のドア５による開口部２ａ１の開閉動作を駆動する第１モータ７が、下ケース３上のベース３ｂ上に固定されている。
第１モータ７の軸には、ウォームギア(第１の歯車列)７ｗが固定されており、ウォームギア７ｗには、ウォームホイール(第１の歯車列)７ｈ１が噛み合って、構成されている。
【００４７】
ウォームホイール７ｈ１には、その下方に第１の平歯車(第１の歯車列)７ｈ２が一体に形成されている。ウォームホイール７ｈ１と第１の平歯車７ｈ２は、ベース３ｂに回転自在に支持されている。
第１の平歯車７ｈ２には、第２の平歯車７ａ１が噛み合って、構成されている。
【００４８】
第２の平歯車７ａ１には、その上方に第３の平歯車７ａ２が一体に形成され、平歯車(第１の歯車列)７ａを構成している。平歯車７ａは、ベース３ｂに回転自在に支持されている。
【００４９】
図７に示すように、第３の平歯車７ａ２に噛み合って、ラック(移動制御手段、開閉駆動機構)１２が表示装置１の前後方向に配設されている。ラック１２の下部にはガイド溝１２ｍが形成されており、下ケース３に固定されたベース３ｂに前後方向に沿って形成されたガイドレール３ｂ１が、ガイド溝１２ｍに嵌入し、ラック１２が前後方向に案内されている。
【００５０】
本構成により、ラック１２は、第１モータ７の駆動力が、ウォームギア７ｗ、ウォームホイール７ｈ１、平歯車７ａを介して伝達され、前後方向(図７の矢印α２、α３方向)に平行移動されている。つまり、ウォームギア７ｗ、ウォームホイール７ｈ１、および平歯車７ａは、第１モータ７の歯車列を構成している。
【００５１】
ラック１２は、図１、図２に示す開口部２ａ１を、第１のドア４と第２のドア５とで開閉動作させるための部材である。
開口部２ａ１を開閉するために、第１モータ７が回転すると、歯車列によって第１モータ７の動力がラック１２に伝達される。
【００５２】
図１に示すように、開口部２ａ１を、第１のドア４および第２のドア５を前方に移動させて閉塞する場合には、ラック１２が、表示装置１の前方(図７の矢印α２方向)に移動される。一方、図２に示すように、第１のドア４および第２のドア５を後方に移動させて開口部２ａ１を開ける場合には、ラック１２が、表示装置１の後方(図７の矢印α３方向)に移動される。
【００５３】
また、ラック１２には、その移動方向(図７の矢印α２、α３方向)とは直角に駆動軸１３を取付けるための穴１２ａが設けられており、駆動軸１３が穴１２ａに回転可能に取り付けられている。駆動軸１３の両端は、図８、図９に示すように、ピニオン１３ｐがそれぞれ固定されている。
【００５４】
図８は、図３の表示装置１を上方から見た表示装置の内部構成を示す平面図であり、図９は、図３の表示装置を斜め上後方から見た表示装置の内部構成を示す斜視図である。図８、図９では、表示装置１の内部構成を分り易くするため、後記する第１のカム８、第２のカム９、ドアレール１０の一部を省略して示している。
【００５５】
＜第１のカム８、第２のカム９、ドアレール１０＞
図７に示すように、表示装置１の両側の側部には、内側から第２のドア５を移動させる第２のカム(移動制御手段、移動手段、開閉駆動機構)９、第１のドア４(図１参照)を移動させる第１のカム(移動制御手段、開閉駆動機構)８、第１のドア４と第２のドア５との開閉の軌跡を案内する一対のドアレール１０がそれぞれ配設されている。
【００５６】
つまり、第２のカム９、第１のカム８、およびドアレール１０は、それぞれ表示装置１を前から見て水平方向に左右対称に一対側部に配置されている。そこで、一方側の第２のカム９、第１のカム８、およびドアレール１０についての説明を行い、他方側の第２のカム９、第１のカム８、およびドアレール１０についての説明は省略する。
【００５７】
＜第２のカム＞
図１０(ａ)は、第２のカムを内側から見た図であり、図１０(ｂ)は、第２のカムを下方から見た図であり、図１０(ｃ)は、第２のカムを外側から見た図であり、図１０(ｄ)は、第２のカムの外側を下後方から見た斜視図である。
【００５８】
第２のカム９は、第２のドア５(図１参照)を開閉動作させる部材であり、前後方向に延在する長形の平板状の形状を有している。
第２のカム９には、図７に示すラック１２に支持される駆動軸１３が挿通される軸挿通孔(貫通孔)９ｓが穿孔されている。第２のカム９は、図７に示すラック１２の前後方向(図７の矢印α２、α３)の直線運動により、駆動軸１３をもって前後方向に移動させられる。
【００５９】
第２のカム９には、第２のドア５の前ボス５ｐ１(図５参照)を案内する第２前案内溝(第２のカム溝)９ａと、第２のドア５の第２の後ボス５ｐ２を案内する第２後案内溝(第２のカム溝)９ｂとが形成されている。
第２前案内溝９ａは、水平に形成される平行部９ａ１と、平行部９ａ１の端部に連続して下方に傾斜して形成される傾斜降下部９ａ２とを有している。平行部９ａ１と傾斜降下部９ａ２との成す角は、４５度など任意に選択できる。
【００６０】
第２後案内溝９ｂは、平行部９ｂ１と、平行部９ｂ１の端部に連続して下方に傾斜して形成される傾斜降下部９ｂ２とを有している。平行部９ｂ１と傾斜降下部９ｂ２との成す角は、４５度など任意に選択できる。
なお、平行部９ａ１と傾斜降下部９ａ２との成す角と、平行部９ｂ１と傾斜降下部９ｂ２との成す角とを、図１０(ａ)、(ｃ)に示すように、同じにすると、第２のドア５を傾くことなく移動できるので、より好ましい。
第２前案内溝９ａの平行部９ａ１と、第２後案内溝９ｂの平行部９ｂ１とは、図１に示す第２のドア５を閉塞させる際に、第２のドア５を前方に案内して開口部２ａ１を閉塞状態にする。
【００６１】
第２前案内溝９ａの傾斜降下部９ａ２と第２後案内溝９ｂの傾斜降下部９ｂ２とは、図２に示す第２のドア５を開ける際に、第２のドア５を後方に案内して開口部２ａ１を開放状態にする。
【００６２】
また、第２のカム９には、第１のドア４の第１の前ボス４ｐ１(図４参照)の逃げとなる逃げ溝９ｍ(図１０参照)が、凹形状を有して形成されている。図７に示すように、第２のカム９の逃げ溝９ｍの存在により、第１のドア４の第１の前ボス４ｐ１の動作が妨げられることなく遂行される。
【００６３】
そして、第２のカム９には、ドアレール１０の第２案内溝１０ｂ(図１２参照)に嵌入し、前後方向の直線運動が案内される前案内凸部９ｃ１と後案内凸部９ｃ２とが外方に突出して形成されている。
【００６４】
＜第１のカム８＞
図１１(ａ)は第１のカムを内側から見た図であり、図１１(ｂ)は第１のカムを外側から見た図であり、図１１(ｃ)は図１１(ｂ)のＥ−Ｅ断面図であり、図１１(ｄ)は第１のカムの外側を下後方から見た斜視図である。
第１のカム８は、第１のドア４(図１参照)を開閉動作させる部材であり、前後方向に延在する長形の平板状の形状を有している。
【００６５】
第１のカム８には、図８、図９に示す駆動軸１３の両端に固定されるピニオン１３ｐに上方から噛み合うラック(カムラック)８ｒが下端縁に形成されている。第１のカム８は、図８、図９に示すラック１２の前後方向(図７の矢印α２、α３)の直線運動に伴うピニオン１３ｐの回転運動により、前後方向に移動させられる。
第１のカム８には、第１のドア４の前ボス４ｐ１(図４参照)を案内する第１前案内溝(第１のカム溝)８ａと、第１のドア４の第１の後ボス４ｐ２を案内する第１後案内溝(第１のカム溝)８ｂとが形成されている。
【００６６】
第１前案内溝８ａは、水平に形成される平行部８ａ１と、平行部８ａ１の端部に連続して下方に傾斜して形成される傾斜降下部８ａ２とを有している。平行部８ａ１と傾斜降下部８ａ２との成す角は、４５度など任意に選択できる。
第１後案内溝８ｂは、水平に形成される平行部８ｂ１と、平行部８ｂ１の端部に連続して下方に傾斜して形成される傾斜降下部８ｂ２とを有している。平行部８ｂ１と傾斜降下部８ｂ２との成す角は、４５度など任意に選択できる。
【００６７】
なお、平行部８ａ１と傾斜降下部８ａ２との成す角と、平行部８ｂ１と傾斜降下部８ｂ２との成す角とを、図１１(ａ)、(ｂ)に示すように、同じにすると、第１のドア４を傾くことなく移動できるので、より好ましい。
第１前案内溝８ａの平行部８ａ１と、第１後案内溝８ｂの平行部８ｂ１とは、図１に示す第１のドア４を閉塞させる際に、第１のドア４を前方に案内して開口部２ａ１を閉塞状態にする。
【００６８】
第１前案内溝８ａの傾斜降下部８ａ２と後案内溝８ｂの傾斜降下部８ｂ２とは、図２に示す第１のドア４を開ける際に、第１のドア４を後方に案内して開口部２ａ１を開放状態にする。
そして、第１のカム８には、ドアレール１０の第１案内溝１０ａ(図１２参照)に嵌入し、前後方向の直線運動が案内される前案内凸部８ｃ１と後案内凸部８ｃ２とが外方に突出して形成されている。
【００６９】
＜ドアレール１０＞
図１２(ａ)は、ドアレールを内側斜め前上方から見た斜視図であり、図１２(ｂ)は、ドアレールを内側から見た図１２(ａ)のＦ方向矢視図であり、図１２(ｃ)は、ドアレールを外側から見た図である。
ドアレール１０は、上ケース２と下ケース３の各側板２ｔ、３ｔの直ぐ内側に配設されており、第１のカム８、第２のカム９を前後方向に案内している。
【００７０】
また、ドアレール１０は、第１のカム８および第２のカム９と第１のドア４および第２のドア５とを前後方向に案内することで、図１、図２に示すように、第１のドア４と第２のドア５による開口部２ａ１の開閉動作が遂行される。
ドアレール１０には、図４に示す第１のドア４の前ボス４ｐ１と第１の後ボス４ｐ２とが嵌入され案内されるとともに、図１１に示す第１のカム８の前案内凸部８ｃ１と後案内凸部８ｃ２とが嵌入され案内される第１案内溝(第１のドアレール溝)１０ａが、リブを内方に突出することで形成されている。
【００７１】
第１案内溝１０ａは、図１の第１のドア４の閉塞時に、第１のカム８と第１のドア４を上方に案内する第１鉛直案内溝１０ａ１と、図２の第１のドア４を開放状態にする際に後方に、第１のカム８と第１のドア４を案内する第１平行案内溝１０ａ２とを有している。
【００７２】
また、ドアレール１０には、図５に示す第２のドア５の前ボス５ｐ１と第２の後ボス５ｐ２とが嵌入され案内されるとともに、図１０に示す第２のカム９の前案内凸部９ｃ１と後案内凸部９ｃ２とが嵌入され案内される第２案内溝(第２のドアレール溝)１０ｂが、リブを内方に突出することで形成されている。
【００７３】
第２案内溝１０ｂは、図１の第２のドア５の閉塞時に、第２のカム９と第２のドア５を上方に案内する第２鉛直案内溝１０ｂ１と、図２の第２のドア５を開放状態にする際に、第２のカム９と第２のドア５を後方に案内する第２平行案内溝１０ｂ２とを有している。
【００７４】
ドアレール１０の下部には、駆動軸１３の両端に固定されるピニオン１３ｐが下方で噛み合うラック(ドアレールラック)１０ｒが形成されている。ラック１０ｒの直上には、ピニオン１３ｐが固定される駆動軸１３の軸端部１３ａ(図８、図９参照)が嵌入されて前後方向に案内される直線状の駆動軸案内溝１０ｃが、リブを内方に突出することで形成されている。
【００７５】
＜駆動軸１３のピニオン１３ｐと第２のカム９と第１のカム８の動作＞
駆動軸１３の軸端部１３ａが、左右のドアレール１０に設けられた駆動軸案内溝１０ｃに回転、摺動可能に嵌合している。また、駆動軸１３に固定されるピニオン１３ｐは、ドアレール１０のラック１０ｒと噛合っているので、ラック１２が前後方向(図８、図９の矢印α１、α２方向)に動くと、ピニオン１３ｐはドアレール１０のラック１０ｒ上を回転する。
【００７６】
左右の第２のカム９(図１０参照)は、駆動軸１３が回転可能に嵌合する貫通する軸挿通孔９ｓが形成されるので、ラック１２と同じ速度で前後に移動する。
第２のドア５は、第２の前ボス５ｐ１と第２の後ボス５ｐ２が、それぞれ第２のカム９の第２前案内溝９ａと第２後案内溝９ｂとに嵌入されて前後方向に当接することで、前後方向に移動する。
【００７７】
一方、左右の第１のカム８(図１１参照)は、第１のカム８のラック８ｒがピニオン１３ｐと上方で噛合っているので、ピニオン１３ｐの円周速度と同じ速度で前後方向に移動する。
第１のドア４は、第１の前ボス４ｐ１と第１の後ボス４ｐ２が、それぞれ第１のカム８の第１前案内溝８ａと第１後案内溝８ｂとに嵌入されて前後方向に当接することで、前後方向に移動する。
【００７８】
ピニオン１３ｐの中心(駆動軸１３、ラック１２)の前後方向の移動距離と、ピニオン１３ｐの円周の移動距離との比は、ピニオン１３ｐの半径の長さと直径の長さとの比であるので、ピニオン１３ｐの円周の移動距離は、ピニオン１３ｐの中心(ラック１２)の前後方向の移動距離の２倍である。
【００７９】
そのため、左右の第１のカム８が左右の第２のカム９の２倍の速度で前後方向に移動するので、第１のドア４は、第２のドア５の２倍の速度で前後方向に移動する。
図１の第１のドア４と第２のドア５とが開口部２ａ１を閉塞する位置から、図２の第１のドア４と第２のドア５とが開口部２ａ１を開放する位置までに、第１のドア４は、第２のドア５の約２倍の距離を移動するが、第１のドア４の速度は第２のドア５の速度の2倍なので、図２の格納位置に到達する時間はほぼ同時となる。
【００８０】
なお、第１のカム８と第２のカム９とは、それぞれドアレール１０に設けられた第１案内溝１０ａと第２案内溝１０ｂとで上下方向を規制されているので、ピニオン１３ｐと第１のカム８との噛合いが保たれている。
【００８１】
＜開口部２ａ１の開閉の検出＞
次に、図１、図２に示す開口部２ａ１の開閉の検出について説明する。
開口部２ａ１の開閉は、前記したように、第１のドア４と第２のドア５とで遂行される。
図１に示す開口部２ａ１が第１のドア４と第２のドア５とで閉塞される場合には、ラック１２は、図１３(ａ)に示す位置にある。図１３(ａ)は、開口部２ａ１が第１のドア４と第２のドア５とで閉塞された場合のラック１２の位置を示すラック１２近傍を上方から見た平面図であり、図１３(ｂ)は、図１３(ａ)のＧ−Ｇ断面拡大図である。
【００８２】
ラック１２の前下部には、開口部２ａ１が第１のドア４と第２のドア５により閉塞または開放された場合のラック１２の位置を示す位置検出リブ１２ｉ(図１３(ｂ)参照)が下方に突出して形成されている。一方、ベース３ｂ上には、開口部２ａ１が第１のドア４と第２のドア５により閉塞されたことを検出する前位置検出センサｓｗ１が設けられている。
位置検出リブ１２ｉがベース３ｂに設けられる前位置検出センサｓｗ１に当接することで、開口部２ａ１が第１のドア４と第２のドア５とで閉塞されたことが検出される。
【００８３】
この場合、ラック１２は、第１のドア４と第２のドア５とが、開口部２ａ１を閉塞した後も若干前方に移動(図１３の矢印α２)して位置検出リブ１２ｉが前位置検出センサｓｗ１に当接するように構成されている。これにより、第１のドア４、第１のカム８、第２のドア５、第２のカム９などの各部材の寸法誤差、組み立て誤差を吸収し、確実に開口部２ａ１を閉塞できる。
【００８４】
図１４は、開口部２ａ１が第１のドア４と第２のドア５とで開放または閉塞する途中の状態のラック１２近傍を上方から見た平面図である。
開口部２ａ１が第１のドア４と第２のドア５とで開放される途中の状態では、図１４の矢印α３に示すように、ラック１２が、第１モータ７により後方に移動される。なお、開口部２ａ１が開放状態から第１のドア４と第２のドア５とで閉塞される途中の状態では、図１４の矢印α２に示すように、ラック１２が、第１モータ７の回転駆動により前方に移動される。
【００８５】
図１５(ａ)は、開口部２ａ１が第１のドア４と第２のドア５とで開放または閉塞する途中の状態のラック１２近傍を斜め前上方から見た斜視図であり、図１５(ｂ)は、開口部２ａ１が第１のドア４と第２のドア５とで開放または閉塞する途中の状態のラック１２近傍を斜め後上方から見た斜視図である。
【００８６】
図１６(ａ)は、開口部２ａ１が第１のドア４と第２のドア５により開放された場合のラック１２の位置を示すラック１２近傍を上方から見た平面図であり、図１６(ｂ)は、図１６(ａ)のＨ−Ｈ断面拡大図である。
ベース３ｂ上には、第１のドア４と第２のドア５とが開放したことを検出するための後位置検出センサｓｗ２が設けられている。
【００８７】
ラック１２が後方に移動し、図１に示すように、開口部２ａ１が第１のドア４と第２のドア５から開放され、第１のドア４と第２のドア５とが、上ケース２の上面板２ａの後部２ａ２内に格納された場合には、図１６に示すように、位置検出リブ１２ｉがベース３ｂに設けられる後位置検出センサｓｗ２に当接することで、開口部２ａ１が第１のドア４と第２のドア５により開放されたことが検出される。
【００８８】
この場合、ラック１２は、第１のドア４と第２のドア５とが、開口部２ａ１を開放した後も若干後方に移動(図１３の矢印α３)して位置検出リブ１２ｉが後位置検出センサｓｗ２に当接するように構成されている。これにより、第１のドア４、第１のカム８、第２のドア５、第２のカム９などの各部材の寸法誤差、組み立て誤差を吸収し、確実に開口部２ａ１を開放できる。
【００８９】
＜コンバイナ６の開閉構成＞
次に、図２、図３に示すコンバイナ６の開閉構成について説明する。
図１７は、コンバイナ６を倒した未使用状態を斜め上前方から見た表示装置１の内部構成を示す斜視図である。
【００９０】
表示装置１のベース３ｂの前部には、コンバイナ６の起立動作、倒れ動作を駆動する第２モータ(第２の駆動源)１７が固着されている。第２モータ１７の軸には第２モータギア１７ｇが固定されている。
【００９１】
一方、コンバイナ６が支持されるコンバイナサポート６ｓには、ハスバ歯車６ｇが取り付けられており、コンバイナサポート６ｓのハスバ歯車６ｇは、第２モータ１７の第２モータギア１７ｇに噛み合っている。これにより、第２モータ１７を駆動することで、駆動力が、第２モータギア１７ｇ、ハスバ歯車６ｇを介して、コンバイナ６に伝達され、コンバイナ６が開閉される。
【００９２】
ここで、コンバイナ６はコンバイナサポート６ｓに固定されており、コンバイナサポート６ｓは下ケース３に固定されたベース３ｂに取り付けられたコンバイナブラケット６ｂに回転可能に取り付けられている。
【００９３】
図１８は、コンバイナ６の支持部を斜め前上方から見た斜視図である。
コンバイナ６の支持部には、コンバイナ６の起立状態を検出するための角度センサ１８が設けられている。角度センサ１８に対向して、角度検出ギア１４ｇを有する回転円板１４がコンバイナブラケット６ｂに回転自在に支持されている。角度センサ１８は、回転円板１４の回転角度を検出してコンバイナ６の起立状態を検出する。
【００９４】
図１８に示すコンバイナ６がなべ小ねじｎ３で固定されるコンバイナサポート６ｓには、部分ギア６ｋ１が形成された角度検出用ギア部材６ｋが固定されている。
角度検出用ギア部材６ｋの部分ギア６ｋ１は、回転円板１４の角度検出ギア１４ｇと常時噛み合っている。そして、回転円板１４の軸は、角度センサ１８の回転検出穴に嵌入しており、回転円板１４の軸と角度センサ１８の回転検出機構は、ガタなく、一緒に回転する。
【００９５】
コンバイ６が未使用（格納）状態では、角度センサ１８は初期角度を示すように設定しなければならない。組み立て時の初期位置を確認するために、板ばね１５の凸部１５ａが、回転円板１４に形成した凹部１４ｏに嵌入している。このために角度検出の原点を担保することができる。
【００９６】
この構成により、第２モータ１７の駆動により、コンバイナ６が、図１８の倒れた状態から次第に起立すると、回転円板１４の角度検出ギア１４ｇは、コンバイナサポート６ｓの角度検出用ギア部材６ｋの部分ギア６ｋ１によって回転し、回転円板１４の回転角度が角度センサ１８により検出され、コンバイナ６の起立状態が検出される。
【００９７】
逆に、コンバイナ６の起立状態から横倒し状態にする場合には、コンバイナサポート６ｓの角度検出用ギア部材６ｋの部分ギア６ｋ１と回転円板１４の角度検出ギア１４ｇとの噛み合いにより、回転円板が回転し、板ばね１５の凸部１５ａが、回転円板１４に形成した凹部１４ｏに嵌入する。この時角度センサ１８は初期位置になり第２モータ１７は停止しコンバイナ６は未使用（横倒し）状態になる。
【００９８】
図１９(ａ)は、コンバイナ６の支持構造を前斜め上方から見た斜視図であり、コンバイナ６が倒れ格納された場合を示す。図１９(ｂ)は、図１９(ａ)のＩ部拡大図であり、図１９(ｃ)は、コンバイナ６を倒した場合の右側のねじりコイルばね１６ｒを示す斜視図であり、図１９(ｄ)は、コンバイナ６が起立した場合の右側のねじりコイルばね１６ｒを示す斜視図である。
図１９(ｅ)は、図１９(ａ)のＪ部拡大図であり、図１９(ｆ)は、コンバイナ６を倒した場合の左側のねじりコイルばね１６ｌを示す斜視図であり、図１９(ｇ)は、コンバイナ６が起立した場合の左側のねじりコイルばね１６ｌを示す斜視図である。
【００９９】
ねじりコイルばね(付勢手段)１６ｒ、１６ｌは、右左両側に対称に設けられている。
ベース３ｂに固定される右側のコンバイナブラケット６ｂには、ねじりコイルばね１６ｒの一方端１６ｒ１(図１９(ｃ)参照)が係合されるとともに、ねじりコイルばね１６ｒの他方端１６ｒ２(図１９(ｃ)参照)が、コンバイナ６が固定されるコンバイナサポート６ｓに、係合されている。
【０１００】
コンバイナ６が起立した場合には、ねじりコイルばね１６ｒの他方端１６ｒ２が、図１９(ｄ)に示すように、コンバイナサポート６ｓにより回転させられるのでねじりコイルばね１６ｒに弾性力が発生し、コンバイナ６に倒れる向きの弾性力が働く。
【０１０１】
ベース３ｂに固定される左側のコンバイナブラケット６ｂには、ねじりコイルばね１６ｌの一方端１６ｌ１(図１９(ｆ)参照)が係合されるとともに、ねじりコイルばね１６ｌの他方端１６ｌ２(図１９(ｆ)参照)が、コンバイナ６が固定されるコンバイナサポート６ｓに係合されている。
【０１０２】
コンバイナ６が起立した場合には、ねじりコイルばね１６ｌの他方端１６ｌ２が、図１９(ｇ)に示すように、コンバイナサポート６ｓにより回転させられるので、ねじりコイルばね１６ｌに弾性力が発生し、コンバイナ６に倒れる向きの弾性力が働く。
【０１０３】
図２０は、コンバイナ６が倒れる方向へのトルクの大きさをコンバイナ６の回転角度に対して表した図である。横軸に回転角度(ｄｅｇ)を示し、縦軸にコンバイナ６が倒れる方向へのトルクの大きさ(Ｎ・ｍｍ)を示す。
【０１０４】
コンバイナ６の重量によるコンバイナ６が倒れる方向へのトルクの大きさ(図２０の細実線)は、コンバイナ６の回転角度が大きくなるに従って、コンバイナ６の回転中心とコンバイナ６の重心との水平方向距離が短くなるので、減少する。
【０１０５】
ねじりコイルばね１６ｒ、１６ｌの弾性力によるコンバイナ６が倒れる方向へのトルクの大きさ(図２０の破線)は、コンバイナ６の回転角度が大きくなるに従って、ねじりコイルばね１６ｒ、１６ｌのねじり変位が増加し弾性力が増加するに伴い、増加する。ねじりコイルばね１６ｒ、１６ｌは、コンバイナ６が起立した状態で倒れる方向に所定の弾性力が印加される。
【０１０６】
コンバイナ６の重量によるコンバイナ６が倒れる方向へのトルクの大きさと、ねじりコイルばね１６ｒ、１６ｌの弾性力によるコンバイナ６が倒れる方向へのトルクの大きさとの合計(太実線)は、回転角度が大きくなるに従って増加する。
【０１０７】
そのため、コンバイナ６が起立した状態(図２０の回転角度９０ｄｅｇ付近)で、倒れる方向へのトルクがかかる。
これにより、コンバイナサポート６ｓのハスバ歯車６ｇと第２モータ１７の第２ギア１７ｇの接触を確実に行え、コンバイナ６が起立した状態で外乱による振動を抑えることが可能である。
【０１０８】
そして、コンバイナ６が倒れることで、弾性力が弱まり、コンバイナ６が完全に倒れた状態で、ねじりコイルばね１６ｒ、１６ｌの弾性力が“０”になるように設定されている。
なお、コンバイナ６が起立した状態で所定のトルクがコンバイナ６に印加されれば、図２０とは異なり、コンバイナ６が完全に倒れた状態で弾性力が“０”以外の大きさになるように構成してもよい。
【０１０９】
＜第１・第２のドア４、５による開口部２ａ１の開閉動作とコンバイナ６の起立動作＞
次に、第１のドア４と第２のドア５による開口部２ａ１の開閉動作およびコンバイナ６の起立動作について説明する。
【０１１０】
＜第１のドア４と第２のドア５による開口部２ａ１の開閉動作＞
図２１(ａ)〜図２５(ａ)は、第１のドア４と第２のドア５の閉塞状態から開放状態に至る第１のカム８、第２のカム９とピニオン１３ｐの動作を示す概念的側面図であり、図２１(ｂ)〜図２５(ｂ)は、図２１(ａ)〜図２５(ａ)それぞれの状態の第１のドア４と第２のドア５の位置を示す概念的側面図である。
【０１１１】
前記したように、第１のドア４と第２のドア５による開口部２ａ１の開閉動作は、図７に示すラック１２の前後方向(図７の矢印α２、α３参照)の移動により遂行される。
つまり、図１に示すように、開口部２ａ１が第１のドア４と第２のドア５によって閉塞される場合には、ラック１２は前方向(図７の矢印α２方向)に移動し、図２に示すように、開口部２ａ１が第１のドア４と第２のドア５が移動し開放される場合には、ラック１２は後方向(図７の矢印α３方向)に移動する。
【０１１２】
第１のドア４の第１の前ボス４ｐ１と第１の後ボス４ｐ２とは、第１のカム８の第１前案内溝８ａと第１後案内溝８ｂとに嵌合されているとともに、ドアレール１０の第１案内溝１０ａに嵌合されている。
【０１１３】
一方、第２のドア５の第２の前ボス５ｐ１と第２の後ボス５ｐ２とは、第２のカム９の第２前案内溝９ａと第２後案内溝９ｂとに嵌合されているとともに、ドアレール１０の第２案内溝１０ｂに嵌合されている。
【０１１４】
図１の開口部２ａ１が第１のドア４と第２のドア５によって閉塞している場合には、図２１(ａ)、(ｂ)の状態にある。移動開始時は、第１のドア４の第１の前ボス４ｐ１と第１の後ボス４ｐ２とは、ドアレール１０の第１案内溝１０ａのほぼ垂直な第１鉛直案内溝１０ａ１に嵌合されている。また、第２のドア５の第２の前ボス５ｐ１と第２の後ボス５ｐ２とは、ドアレール１０の第２案内溝１０ｂのほぼ垂直な第２鉛直案内溝１０ｂ１に嵌合されている。
【０１１５】
ここで、第１のドア４と第２のドア５との水平移動時に互いに干渉することのないように、第１のドア４の垂直移動距離、つまり第１鉛直案内溝１０ａ１が第２鉛直案内溝１０ｂ１より長く形成されている。
【０１１６】
開口部２ａ１を開けるべく、第１モータ７が駆動されると、ラック１２の後方(図７の矢印α３方向)への移動に伴い、ピニオン３ｐが後方(図２１(ａ)の矢印α３方向)に移動する。これに伴い、図２１(ａ)に示すように、第１のカム８と第２のカム９とが後方に移動する。
【０１１７】
図２２(ａ)に示すように、第１のドア４の第１の前ボス４ｐ１と第１の後ボス４ｐ２とは、第１のカム８の傾斜降下部８ａ２と傾斜降下部８ｂ２とに嵌合して下向きの力を受け、かつ、ドアレール１０の第１案内溝１０ａのほぼ垂直な第１鉛直案内溝１０ａ１に嵌合されるので、第１のドア４は水平を保ちながらほぼ垂直に下降する。
【０１１８】
同様に、第２のドア５の第２の前ボス５ｐ１と第２の後ボス５ｐ２とは、第２のカム９の傾斜降下部９ａ２と傾斜降下部９ｂ２とに嵌合して下向きの力を受け、かつ、ドアレール１０の第２案内溝１０ｂのほぼ垂直な第２鉛直案内溝１０ｂ１に嵌合されるので、第２のドア５は水平を保ちながらほぼ垂直に下降する。
【０１１９】
その後、図２３(ａ)に示すように、第１のドア４の第１の前ボス４ｐ１と第１の後ボス４ｐ２とは、第１のカム８の第１前案内溝８ａの傾斜降下部８ａ２と第１後案内溝８の傾斜降下部８ｂ２とにそれぞれ嵌合されて第１のカム８の移動方向の後方への力を受け、かつ、ドアレール１０の第１案内溝１０ａのほぼ水平な第１平行案内溝１０ａ２に嵌合される。そのため、第１のドア４は後方へ移動する。
【０１２０】
また、第２のドア５の第２の前ボス５ｐ１と第２の後ボス５ｐ２とは、第２のカム９の第２前案内溝９ａの傾斜降下部９ａ２と第２後案内溝９ｂ傾斜降下部９ｂ２とにそれぞれ嵌合されて第２のカム９の移動方向の後方への力を受け、かつ、ドアレール１０の第２案内溝１０ｂのほぼ水平な第２平行案内溝１０ｂ２に嵌合される。そのため、第２のドア５は後方へ移動する。
【０１２１】
そして、第１のカム８と第２のカム９とが、図２４に示すように、さらに後方に移動し、第１のドア４、第２のドア５が後方に移動し、図２５に示す第１のドア４と第２のドア５の格納位置に至ると、ラック１２の位置検出リブ１２ｉが後位置検出センサｓｗ２に当接し(図１６参照)、第１のドア４と第２のドア５の格納が検出され、第１のドア４と第２のドア５の開動作は終了する。
【０１２２】
＜コンバイナ６の起立動作＞
上述の動作により、上ケース２の開口部２ａが開いたので、次にコンバイナ６の起立動作が遂行される。
後位置検出センサｓｗ２の開動作の検出により、第２モータ１７が回転を開始すると、第２モータギア１７ｇを介して、図１７に示す状態のコンバイナサポート６ｓに取り付けられたハスバ歯車６ｇに動力が伝わる。
【０１２３】
第２モータ１７の動力がハスバ歯車６ｇに伝わると、コンバイナ６はコンバイナブラケット６ｂの支点を中心に回転し起立動作を行う。図８、図９に示すように、規定された角度(標準位置)まで回転動作をすると、角度センサ１８(図１８参照)により回転角度(標準位置)が検出され、起立動作を終了する。
【０１２４】
上・下ケース２、３内の光源によりコンバイナ６に投影された映像は、ユーザ、例えば、運転者の視点により投影される位置が異なるので、ユーザによってコンバイナ６の起立位置を調整しなければならない。そのため、ユーザはコンバイナ６が起立した位置で、第２モータ１７を不図示の操作釦で正転又は逆転させて、コンバイナ６の起立位置を調整することができる構成としている。
【０１２５】
コンバイナ６の格納時は、上述と逆の動作が行われる。
第２モータ１７の逆回転によりコンバイナ６を上・下ケース２、３内に格納し、角度センサ１８によって位置検出をして第２モータ１７の動作を終了する。
その後、第１モータ７の回転駆動により、ラック１２を、図７の状態から、矢印α２の方向に移動させる。
【０１２６】
これにより、第１のドア４および第２のドア５を、図２５から図２１に遷移させて、前方に移動させ、ラック１２の位置検出リブ１２ｉの前位置検出センサｓｗ１(図１３参照)への当接により、動作終了を検知して第１モータ７の動作を停止させ、上ケース２の開口部２ａ１を第１のドア４と第２のドア５とで塞ぐ。
【０１２７】
図１の第１のドア４および第２のドア５が開口部２ａ１を塞いでいる時は、不図示の板バネによって第１のドア４と第２のドア５とは下方に向けて付勢される。例えば、閉じた第１のドア４と第２のドア５の各上方の位置に、下向きに真ん中が突出した形状の略くの字状の板バネをそれぞれ設ける。そして、該略くの字状の板バネでそれぞれ閉じた第１のドア４と第２のドア５を下方に押圧する。
【０１２８】
これにより、第１のドア４と第２のドア５の振動による共振等の異音の発生を抑制し、ユーザ、例えば運転者に不快感を与えないようにしている。
また、図３に示す第１のドア４および第２のドア５が、格納位置にある時も板バネ２ｂ(図７参照)によって前方に付勢され(図７の矢印γ１方向)、振動による異音が発生しないように固定されている。
【０１２９】
前記したように、コンバイナ６の起立位置でも同様、振動衝撃によってコンバイナ６が振れて、画像が乱れないように、コンバイナサポート６ｓをねじりコイルばね１６ｒ、１６ｌ(図１９参照)で付勢し、ハスバ歯車６ｇと第２モータ１７の第２モータギア１７ｇとを確実に接触させ、コンバイナ６が振動しないように固定されている。
【０１３０】
上記構成によれば、下記の効果を奏する。
１．開口部を覆うドアを第１のドア４と第２のドア５の２枚に分割することで、ドアを駆動するラック１２を短くすることができる。
２．ドアを第１のドア４と第２のドア５とに２分割して重ねて格納するので、表示装置１全体の奥行きを短くでき、装置の小型化が可能である。
【０１３１】
３．ドアを分割し、スライドさせて開閉動作を行うことによりドア可動域を必要とせず、表示装置１全体のコンパクト化が行える。
４．第１のドア４を第２のドア５の移動速度の２倍で動作させるので、第１のドア４、第２のドア５の動作時間を短くできる。また、第１のドア４と第２のドア５との開閉動作がスムーズにできる。
【０１３２】
５．第１のドア４を第２のドア５の移動速度の２倍で動作させるので、第１のドア４、第２のドア５の動作時間を同等にできる。
６．第１のドア４を第２のドア５の移動速度の２倍で動作させるので、格納時間が同等になり動作時の見栄え向上し視認性が良くなり、商品価値が向上する。
【０１３３】
７．第１のドア４と第２のドア５をそれぞれ異なる部品で同時に駆動するので負荷が分散し減少でき、スムーズな動作にできる。
８．第１のドア４と第２のドア５で開口部２ａ１を覆っている時、上ケース２と第１のドア４と第２のドア５の上面を同一平面にできるので、デザイン性が良好である。
【０１３４】
＜＜変形例１＞＞
変形例１は、ドアを３分割した場合である。
図２６は、変形例１の未使用状態の表示装置を斜め上前方から見た斜視図である。
図２７は、変形例１の表示装置でコンバイナを起立させた使用状態を斜め上前方から見た斜視図である。
【０１３５】
変形例１の表示装置２１は、開口部２ａ１を覆うドアを、第１のドア４と第２のドア５と第３のドア(回転蓋部材)２２で覆う構成である。
第１のドア４と第２のドア５は、開口部２ａ１の一部を第３のドア２２で覆うため、外形寸法を小さくした以外は、実施形態と同様な構成である。そのため、実施形態と同様な構成要素には、同一の符号を付して示し、詳細な説明は省略する。
【０１３６】
コンバイナ６の未使用時には、図２６に示すように、表示装置２１の開口部２ａ１は、第１のドア４と第２のドア５と第３のドア２２で閉塞される。
コンバイナ６の使用時には、図２７に示すように、第１のドア４と第２のドア５とは、上ケース２の上面板２ａの後部２ａ２の下方に、実施形態と同様にして、格納される。
第３のドア２２は、回転して、上ケース２の前部２ｂに格納される。
【０１３７】
図２８(ａ)は、変形例１の表示装置２１において、開口部２ａ１が開けられた状態を示す内部の側面図であり、図２８(ｂ)は、開口部２ａ１が開けられた状態を示す表示装置２１の内部を斜め前下方から見た斜視図である。
図２９(ａ)は、変形例１の表示装置２１において、開口部２ａ１を閉塞する過程を示す内部の側面図であり、図２９(ｂ)は、開口部２ａ１を閉塞する過程を示す表示装置２１の内部を斜め前下方から見た斜視図である。
図３０(ａ)は、変形例１の表示装置２１において、開口部２ａ１を閉塞した状態を示す内部の側面図であり、図３０(ｂ)は、開口部２ａ１を閉塞した状態を示す表示装置２１の内部を斜め前下方から見た斜視図である。
【０１３８】
第３のドア２２が固定される支持部材２２ｓは、ベース３ｂに固定されるコンバイナブラケット６ｂに回転自在に支持されている。
支持部材２２ｓは、外方に向かって凸状の駆動突起(回転開閉手段)２２ｓ１が形成されている。そして、支持部材２２ｓは、ベース３ｂに一方端が係合される引張りコイルばね(弾性体)３ｓの他方端が係合され、第３のドア２２が開放される方向に付勢されている。
【０１３９】
本構成により、図２７に示すコンバイナ６の使用時には、図２８に示すように、支持部材２２ｓが引張りコイルばね３ｓに付勢され、第３のドア２２が開放状態にある。
そして、コンバイナ６が未使用状態に移行する際には、図２９の矢印α２方向に示すように、第１のカム８と、第２のカム９とが前方に移動する。この際、第２のカム９の前コーナに形成された傾斜部(回転開閉手段、閉塞動作部)９ｎが支持部材２２ｓの凸状の駆動突起２２ｓ１を上に押し上げる。これに伴い、支持部材２２ｓが後方向きに回転し、第３のドア２２が後方向き(図２９(ａ)の矢印β１方向)に回転する。
【０１４０】
そして、上ケース２の開口部２ａ１が第１のドア４と第２のドア５と第３のドア２２とで塞がれると、ラック１２の位置検出リブ１２ｉが前位置検出センサｓｗ１(図１３参照)に当接し、動作終了を検知されるので、第１モータ７が動作を停止し、第１のカム８と、第２のカム９との前方への移動が停止する。そして、第２のカム９による支持部材２２ｓの凸状の駆動突起２２ｓ１への押圧が停止し、図３０に示す状態となる。これにより、図２６に示すように、表示装置２１の開口部２ａ１が、第１のドア４と第２のドア５と第３のドア２２で閉塞される。
表示装置２１の開口部２ａ１の開放は、図３０〜図２８の逆の遷移で遂行される。
【０１４１】
変形例１によれば、ドアが３枚で形成されるので、実施形態のドアが２枚の時よりも、第１のドア４と第２のドア５の奥行き寸法が小さくなり、表示装置２１全体の奥行き寸法が短くできる。そのため、表示装置２１の更なる小型化が可能である。
【０１４２】
また、第３のドア２２の開閉は、回転運動で行うので、稼動が平行運動に比べ安定である。また、稼動スペースが狭小であり、表示装置２１の小型化に貢献できる。
さらに、表示装置２１の開口部２ａ１が第１のドア４と第２のドア５と第３のドア２２とで塞がれるので、寸法関係など設計の自由度が向上する。
【０１４３】
＜＜変形例２＞＞
変形例２の表示装置３１は、第１のドア４を上ケース２の上面板２ａの直ぐ下方に格納するとともに、第２のドア５を第１のドア４の下方に格納する構成としたものである。これ以外の構成は、実施形態と同様である。
【０１４４】
図３１は、変形例２の表示装置３１において、開口部２ａ１を第１のドアと第２のドアとで閉塞した状態を側方から見た模式図である。
図３２は、変形例２の表示装置３１において、開口部２ａ１を開放し、第１のドアと第２のドアとを上ケース内に格納した状態を側方から見た模式図である。
図３３は、第１のカムと第２のカムの移動速度の関係を示す模式図であり、図３３(ａ)は、第１のドアと第２のドアによる開口部２ａ１の閉塞時を示し、図３３(ｂ)は、第１のドアと第２のドアとの開放時を示す。
【０１４５】
変形例２の表示装置３１において、コンバイナ６の未使用時には、図３１に示すように、開口部２ａ１は、第１のドア４と第２のドア５とで閉塞されている。一方、コンバイナ６の使用時には、図３２に示すように、開口部２ａ１は開放され、第１のドア４と第２のドア５とが上面板２ａの下方に格納されている。格納時、第１のドア４が上に第２のドア５が下に格納される。
【０１４６】
図３３(ａ)、(ｂ)に示すように、第２のドア５を移動させる第２のカム９は、駆動軸１３が挿通され、駆動軸１３と同速度で前後方向に移動する。一方、第１のドア４を移動させる第１のカム８は、駆動軸１３に固定されるピニオン１３ｐの噛み合いで移動するので、駆動軸１３の２倍の速度、つまり第２のカム９の２倍の速度で移動する。
表示装置３１が使用状態に移行すると、図３１に示すように、第１のドア４は、まず、寸法ｈ下方に鉛直方向に移動すると仮定すると、第２のドア５は、第１のドア４の下方に格納されるから、寸法２ｈ下方に鉛直方向に移動すると仮定する。
【０１４７】
そして、第１のドア４と第２のドア５とは、後方に移動して、上ケース２の上面板２ａの下方に第１のドア４が上に、第２のドア５が下に重なって格納され、開口部２ａ１が開けられる。
【０１４８】
この際、第１のドア４の水平方向の移動距離を２Ｌ、鉛直方向の移動距離ｈとする。また、第１のドア４の鉛直方向の移動距離と第１のカム８の水平方向の移動距離は同じとすると、第１のドア４を駆動する第１のカム８の移動距離は、２Ｌ＋ｈである。すると、第２のカム９の移動距離は、図３３に示すように、第１のカム８の移動距離の１／２であるから、ｈ／２＋Ｌである。
【０１４９】
一方、第２のドア５は、距離２ｈ＋Ｌ移動するので、第２のドア５の鉛直方向の移動距離と第２のカム９の水平方向の移動距離は同じとすると、第２のドア５を移動させる第２のカム９の移動距離は、２ｈ＋Ｌである。
【０１５０】
変形例２によれば、実施形態と異なり、開口部２ａ１の開放時、第１のドア４を上に、第２のドア５を下に格納できる。これにより、表示装置３１の設計の自由度が向上する。
【０１５１】
＜実施形態の第１のカム８と第２のカム９の移動軌跡＞
変形例２との比較のため、実施形態の第１のカム８と第２のカム９の移動軌跡について説明する。
図３４は、実施形態の表示装置１において、開口部２ａ１を第１のドアと第２のドアとで閉塞した状態を側方から見た模式図である。
図３５は、実施形態の表示装置１において、開口部２ａ１を開放し、第１のドアと第２のドアとを上ケース内に格納した状態を側方から見た模式図である。
【０１５２】
実施形態の表示装置１において、コンバイナ６の未使用時、図３４に示すように、開口部２ａ１は、第１のドア４と第２のドア５とで閉塞されている。一方、コンバイナ６の使用時には、図３５に示すように、開口部２ａ１は、開放され、第１のドア４と第２のドア５とが上面板２ａの下方に格納されている。変形例２と異なり、第１のドア４が下に第２のドア５が上に格納される。
【０１５３】
表示装置１が使用状態に移行すると、第１のドア４は、まず、図３４に示すように、寸法２ｈ下方に鉛直方向に移動すると仮定すると、第２のドア５は、第１のドア４の上方に格納されるから、寸法ｈ下方に鉛直方向に移動すると仮定する。
そして、図３５に示すように、第１のドア４と第２のドア５とは、後方に移動して、上ケース２の上面板２ａの下方に、変形例２と異なり、第１のドア４が下に、第２のドア５が上に重畳して格納され、開口部２ａ１が開けられる。
【０１５４】
この際、第１のドア４の水平方向の移動距離を２Ｌ、鉛直方向の移動距離２ｈと仮定すると、案内溝の傾斜角度を４５度とすると、第１のカム８の移動距離は、２Ｌ＋２ｈである。第２のカム９の移動距離は、第１のカム８の移動距離の１／２であるから、ｈ＋Ｌである。
【０１５５】
一方、第２のドア５は、距離ｈ＋Ｌ移動するので、案内溝の傾斜角度を４５度とすると、第２のドア５を移動させる第２のカム９の移動距離は、ｈ＋Ｌである。
変形例２と比較すると、変形例２の第２のカム９の移動距離は、２ｈ＋Ｌであり、実施形態の第２のカム９の移動距離は、ｈ＋Ｌである。実施形態の第２のカム９の移動距離が、変形例２の第２のカム９の移動距と比べ、距離ｈ短い。表示装置１の奥行き寸法ｄは、第２のカム９の移動距離に依存する。
【０１５６】
そのため、実施形態の第１のドア４を下に第２のドア５を上に格納する構造が、変形例２の第１のドア４を上に第２のドア５を下に格納する構造より奥行き寸法ｄが短くでき、有利である。
【０１５７】
また、変形例２では、図３１、図３２から分るように、第１のドア４と第２のドア５の移動軌跡が交差する。一方、実施形態では、図３４、図３５から分るように、第１のドア４と第２のドア５の移動軌跡が交差しない。そのため、実施形態は、第１のドア４と第２のドア５の移動軌跡が交差しないことから、第１のドア４と第２のドア５の移動機構が簡単であると考えられる。
【０１５８】
この点からも、実施形態の第１のドア４を下に第２のドア５を上に格納する構造が、変形例２の第１のドア４を上に第２のドア５を下に格納する構造より好ましい。
【０１５９】
＜＜変形例３＞＞
変形例３は、実施形態の構成と異なり、コンバイナ６の起立位置の検出を角度センサ１８で行い、コンバイナ６の格納位置の検出を不図示のスイッチで行う構成としたものである。
以下、図１８を用いて、変形例３の構成を説明する。
【０１６０】
コンバイナ６がなべ小ねじｎ３で固定されるコンバイナサポート６ｓには、部分ギア６ｋ１が形成された角度検出用ギア部材６ｋが固定されている。
コンバイナ６が倒れた未使用状態では、実施形態と異なり、コンバイナサポート６ｓの角度検出用ギア部材６ｋの部分ギア６ｋ１は、回転円板１４の角度検出ギア１４ｇに噛み合わない。
【０１６１】
そこで、コンバイナサポート６ｓの角度検出用ギア部材６ｋの部分ギア６ｋ１の噛み合いが外れた状態では、板ばね１５の凸部１５ａが、回転円板１４に形成した凹部１４ｏに嵌入し、この状態を回転円板１４の初期角度としている。
【０１６２】
この構成により、第２モータ１７の駆動により、コンバイナ６が、図１８の倒れた状態から次第に起立すると、コンバイナ６の起立途中でコンバイナサポート６ｓの角度検出用ギア部材６ｋの部分ギア６ｋ１が回転円板１４の角度検出ギア１４ｇに噛み合い、回転円板１４の凹部１４ｏは、板ばね１５の凸部１５ａから外れる。そして、回転円板１４の角度検出ギア１４ｇは、コンバイナサポート６ｓの角度検出用ギア部材６ｋの部分ギア６ｋ１とともに回転し、回転円板１４の回転角度が角度センサ１８により検出され、コンバイナ６の起立状態が検出される。
【０１６３】
逆に、コンバイナ６の起立状態から横倒し状態にする場合には、コンバイナ６が倒れる途中で、コンバイナサポート６ｓの角度検出用ギア部材６ｋの部分ギア６ｋ１と回転円板１４の角度検出ギア１４ｇとの噛み合いが外れる。この際、板ばね１５の凸部１５ａが、回転円板１４に形成した凹部１４ｏに嵌入し、回転円板１４の移動を停止させる。これにより、回転円板１４は、初期角度に静止される。
【０１６４】
そして、第２モータ１７の逆回転によりコンバイナ６を上・下ケース２、３内に格納し、格納したことを不図示のスイッチによって検出して、第２モータ１７の動作を終了する。
その後、第１モータ７の回転駆動により、ラック１２を、図７の状態から、矢印α２の方向に移動させる。
【０１６５】
変形例３の構成によれば、表示装置１の設計の自由度を高めることができる。
【０１６６】
＜＜その他の実施形態＞＞
１．前記実施形態では、表示部として、虚像を投影して表示するコンバイナ６を例示して説明したが、表示部は、液晶などのコンバイナ６以外のものでもよい。
２．前記実施形態では、第２のカム９の閉塞動作部として、第２のカム９の前コーナに形成された傾斜部９ｎを例示して説明したが、曲率をもった形状など傾斜部以外の形状を採用してもよい。
３．前記実施形態では、閉塞動作部を、第２のカム９に形成した場合を例示したが、第２のカム９に形成せずに、第１のカム８に形成する構成としてもよい。
【０１６７】
なお、本発明は、前記した実施形態に限定されるものではなく、発明の趣旨を逸脱しない範囲で適宜設計変更が可能であり、本発明の範囲内で様々な修正と変更が可能である。すなわち、本発明の具体的形態は、発明の趣旨を変更しない範囲において適宜、任意に変更可能である。
【０１６８】
以下、実施形態及び変形例１〜３から把握できる技術思想を記載する。 
（観点１）
情報を表示させる表示部と、前記表示部を格納する筐体であって、上部に前記表示部を出現させる開口部が設けられた前記筐体と、前記開口部を塞ぎ、前記開口部よりも小さい面積を持つ複数のカバーと、前記複数のカバーを各々開閉するカバー開閉手段とを設け、前記複数のカバーが重なる第１の状態と、前記複数のカバーが前記開口部を塞ぐ第２の状態とを有することを特徴とする情報表示装置。
【０１６９】
（観点２）
前記第１の状態から前記第２の状態へと変位する際、または前記第２の状態から前記第１の状態へと変位する際に、前記カバーを各々異なる速度で移動させる移動手段を設けたことを特徴とする観点１記載の情報表示装置。
【０１７０】
（観点３）
前記カバーは、第1の突起を有する第1のカバーと、第２の突起を有する第２のカバーとからなり、
前記筐体に配置された第１の駆動源をさらに備え、前記移動手段が、前記第１の駆動源の動力によって回転し、
かつ前記カバーの移動方向に移動する駆動軸と、前記筐体の側面に平行に配置され、前記駆動軸の回転動作及び前記移動方向への移動動作に応じて前記移動方向に移動する第1の移動体と、前記筐体の側面に平行に配置され、前記駆動軸の前記移動方向への移動動作に応じて前記移動方向に移動する第２の移動体とを備え、
前記第１のカバーは、前記第１の突起によって前記第１の移動体に係合され、前記第２のカバーは、前記第２の突起によって前記第２の移動体に係合されていることを特徴とする観点２記載の情報表示装置。
【０１７１】
（観点４）
前記筐体の側面上には、前記移動方向に延在する第1の水平部と、当該第1の水平部と連通し前記移動方向と交差する第１の方向に延在する垂直部とを有する第1のガイドレールが配置され、前記第1の移動体は、前記移動方向と交差する第２の方向に延在する第1の傾斜部を含む第１のガイド孔を備え、前記第1の移動体の前記第1の突起は、前記第1のガイドレール及び前記第１のガイド孔に係合され、
前記第１のカバーは、前記第1の移動体の前記移動方向への移動に応じて、前記第1の状態から前記第２の状態へと変位し、かつ、前記第２の状態から前記第1の状態へと変位することを特徴とする観点３記載の情報表示装置。
【０１７２】
（観点５）
前記筐体の側面上には、前記移動方向に延在する第２の水平部と、当該第２の水平部と連通し前記第1の方向に延在する第２の垂直部とを有する第２のガイドレールが配置され、前記第２の移動体は、前記第２の方向に延在する第２の傾斜部を含む第２のガイド孔を備え、前記第２の移動体の前記第２の突起は、前記第２のガイドレール及び前記第２のガイド孔に係合され、
前記第２のカバーは、前記第２の移動体の前記移動方向への移動に応じて、前記第1の状態から前記第２の状態へと変位し、かつ、前記前記第２の状態から前記第1の状態へと変位することを特徴とする観点４記載の情報表示装置。
【０１７３】
（観点６）
前記第１の方向と前記第２の方向とのなす角度は約４５度であることを特徴とする観点４もしくは観点５のいずれかに記載の情報表示装置。
【０１７４】
（観点７）
前記第1の駆動源とは独立した第２の駆動源であって、前記表示部を駆動する前記第２の駆動源とをさらに備えることを特徴とする観点３に記載の情報表示装置。
【０１７５】
（観点８）
前記駆動軸はピニオンを有し、前記第１の移動体は前記ピニオンと噛合するラックを有することを特徴とする観点３記載の情報表示装置。
【符号の説明】
【０１７６】
１、２１、３１  表示装置
６      コンバイナ(表示部)
２      上ケース(格納部材)
２ａ１  開口部
３      下ケース(格納部材)
３ｓ    引張りコイルばね(弾性体)
４      第１のドア(蓋部材、ドア、移動距離の長い蓋部材)
４ｐ１  第１の前ボス(第１の突起)
４ｐ２  第１の後ボス(第１の突起)
５      第２のドア(蓋部材、ドア、移動距離の短い蓋部材)
５ｐ１  第２の前ボス(第２の突起)
５ｐ２  第２の後ボス(第２の突起)
７      第１モータ(移動制御手段、開閉駆動機構、モータ、第１の駆動源)
７ａ    平歯車(第１の歯車列)
７ｈ１  ウォームホイール(第１の歯車列)
７ｈ２  第１の平歯車(第１の歯車列)
７ｗ    ウォームギア(第１の歯車列)
８      第１のカム(移動制御手段、開閉駆動機構)
８ａ    第１前案内溝(第１のカム溝)
８ｂ    第１後案内溝(第１のカム溝)
８ｒ    ラック(カムラック)
９      第２のカム(移動制御手段、移動手段、開閉駆動機構)
９ａ    第２前案内溝(第２のカム溝)
９ｂ    第２後案内溝(第２のカム溝)
９ｎ    傾斜部(回転開閉手段、閉塞動作部)
９ｓ    軸挿通孔(貫通孔)
１０    ドアレール
１０ａ  第１案内溝(第１のドアレール溝)
１０ｂ  第２案内溝(第２のドアレール溝)
１０ｒ  ラック(ドアレールラック)
１２    ラック(移動制御手段、開閉駆動機構)
１３    駆動軸
１３ｐ  ピニオン
１６ｌ  ねじりコイルばね(付勢手段)
１６ｒ  ねじりコイルばね(付勢手段)
１７    第２モータ(第２の駆動源)
２２    第３のドア(回転蓋部材)
２２ｓ  支持部材
２２ｓ１  駆動突起(回転開閉手段)
ｋ      筐体(格納部材)
【図１】
2014226961.tif 000003
【図２】
2014226961.tif 000004
【図３】
2014226961.tif 000005
【図４】
2014226961.tif 000006
【図５】
2014226961.tif 000007
【図６】
2014226961.tif 000008
【図７】
2014226961.tif 000009
【図８】
2014226961.tif 000010
【図９】
2014226961.tif 000011
【図１０】
2014226961.tif 000012
【図１１】
2014226961.tif 000013
【図１２】
2014226961.tif 000014
【図１３】
2014226961.tif 000015
【図１４】
2014226961.tif 000016
【図１５】
2014226961.tif 000017
【図１６】
2014226961.tif 000018
【図１７】
2014226961.tif 000019
【図１８】
2014226961.tif 000020
【図１９】
2014226961.tif 000021
【図２０】
2014226961.tif 000022
【図２１】
2014226961.tif 000023
【図２２】
2014226961.tif 000024
【図２３】
2014226961.tif 000025
【図２４】
2014226961.tif 000026
【図２５】
2014226961.tif 000027
【図２６】
2014226961.tif 000028
【図２７】
2014226961.tif 000029
【図２８】
2014226961.tif 000030
【図２９】
2014226961.tif 000031
【図３０】
2014226961.tif 000032
【図３１】
2014226961.tif 000033
【図３２】
2014226961.tif 000034
【図３３】
2014226961.tif 000035
【図３４】
2014226961.tif 000036
【図３５】
2014226961.tif 000037